(57)【要約】      （修正有）【課題】水素水の購入をプレペイド決済端末で購入でき、併せて逆浸透膜水素水供給装置を設置する筐体内に公衆無線ＬＡＮ中継機を内蔵させることにより不特定多数の第３者はインターネット接続可能な無線中継スポットを提供する。【解決手段】公衆無線ＬＡＮ中継機を備えた逆浸透膜水素水供給装置３は、水道管と接続するパイプの途中に不純物を除去する活性炭フィルターからなるセディメントフィルター６と、ポストカーボンフィルター９と、逆浸透膜フィルター８と、ポストカーボンフィルターを順次設け、水道水から不純物が除去された水を冷却タンクで循環させながら冷却した水を送る送水管を水素発生器に接続し、冷却水に水素を供給する水素供給管を接続する一連の機器は一つの筐体に収納し、筐体にはプリペイド決済処理端末を備えるとともに、インターネット接続が可能な公衆無線ＬＡＮ中継機を備えている。【選択図】図１
2014050774.tif 000002
【特許請求の範囲】
【請求項１】
水道管と接続するパイプの途中に電磁弁を介して水圧調整の増圧ポンプを設け、該増圧ポンプを通過後の水道水の浮遊物やさび等の不純物を除去する活性炭フィルターからなるセディメントフィルターと、塩素、鉛、水銀、カビ胞子、サルモネラ菌、バクテリア等を除去する活性炭フィルターからなるプレカーボンフィルターと、ウイルス、細菌、重金属、放射性物質を除去する逆浸透膜メンブレンフィルターと、不快な味や臭いを除去する活性炭フィルターからなるポストカーボンフィルターを順次設け、水道水から不純物が除去された水を冷却タンクで循環させながら冷却した水を送る送水管を水素発生器に接続し、冷却水に水素を供給する水素供給管を接続して前記冷却タンクから管及びドレン電磁弁を通して水素水の取出し部を備えた前記一連の機器は一つの筐体に収納し、かつ前記水素水を購入するためのインターネットによるプリペイド決済サーバーを介して前記筐体にはプリペイド決済処理端末を備えるとともに、前記筐体にインターネット接続が可能な公衆無線ＬＡＮ中継機を備えていることを特徴とする公衆無線ＬＡＮ中継機を備えた逆浸透膜水素水供給装置。
【請求項２】
請求項１記載のインターネット接続が可能な公衆無線ＬＡＮ中継機は、ワイファイ中継機であることを特徴とする請求項１記載の公衆無線ＬＡＮ中継機を備えた逆浸透膜水素水供給装置。
【請求項３】
請求項１又は請求項２記載のインターネット接続が可能な公衆無線ＬＡＮ中継機は、不特定多数のルーターを備えたパソコン利用者、携帯電話利用者等の利用に供する一般ユーザーのワイファイスポットであることを特徴とする請求項１又は請求項２記載の公衆無線ＬＡＮ中継機を備えた逆浸透膜水素水供給装置。
【請求項４】
請求項１、請求項２又は請求項３記載の公衆無線ＬＡＮ中継機を備えた逆浸透膜水素水供給装置において、プリペイド決済処理端末を使用する逆浸透膜水素水の購入者の撮影とその周囲を撮影する防犯カメラが前記筐体に内蔵され、かつその防犯カメラの映像データの管理は前記プリペイド決済サーバーであることを特徴とする請求項１、請求項２又は請求項３記載の公衆無線ＬＡＮ中継機を備えた逆浸透膜水素水供給装置。
【発明の詳細な説明】
【技術分野】
【０００１】
本発明は水道水の水を活性炭フィルター及び逆浸透膜でろ過し、水道水に含まれる臭いや各種不純物を除去し、不純物を除去した純水を冷却水として水素発生器に通して水素の溶存性の高い水素水を供給する他、公衆無線ＬＡＮ中継機を備えた逆浸透膜水素水供給装置に関する発明である。
すなわち本装置を人口集約施設等の各種施設等に分散して設置して単なる水素水の普及にとどまらずにインターネット接続領域の拡大、携帯電話やノートパソコン等の端末の使用エリアの拡大や地域の防犯を兼ねた設備を備えた公衆無線ＬＡＮ中継機を備えた逆浸透膜水素水供給装置に関する発明である。
【背景技術】
【０００２】
従来の水素水製造装置および水素水製造方法の発明として、給水ポンプから供給される原水中の不純物を除去する逆浸透膜フィルターが介装されてなる水供給ラインを介して供給された純水中の溶存気体を脱気する脱気モジュールと、この脱気モジュールと流量計が介装されてなる脱気水供給ラインが連通すると共に、水素量制御弁が介装されてなる水素供給ラインが連通し、脱気水に水素を溶解させて水素水を製造する水素給気モジュールと、この水素給気モジュールに一端が接続され、水素水排出弁が介装されてなる水素水排出ラインと、この水素水排出ラインに排出される水素水の酸化還元電位を測定する酸化還元電位測定手段と、前記水素水排出ラインの水素給気モジュールと水素水排出弁の間に連通し、前記給水ポンプに原水を供給する原水供給源に水素水を戻す水素水戻しラインと、前記流量計から脱気水の流量測定値が入力され、この流量測定値が設定した値になるように前記給水ポンプの回転数を制御し、前記酸化還元電位測定手段から入力される酸化還元電位が予め定めた所定の範囲になるように前記水素量制御弁の開度を制御すると共に、酸化還元電位が予め定めた所定の範囲になると、前記水素水排出弁を開弁制御するコントローラとから構成されてなることを特徴とする水素水製造装置がある（特許文献１参照）。
【０００３】
また、不純物が除去された純水中の溶存気体を脱気する脱気モジュールから、水素水を製造する水素給気モジュールに供給される脱気水の供給量が所定量になるように、給水ポンプの回転数を制御して逆浸透膜フィルターを介して不純物が除去された純水を前記脱気モジュールに供給し、前記水素給気モジュールから排出される水素水の酸化還元電位が予め定めた所定の範囲になるように、この水素給気モジュールに供給する水素量を制御すると共に、酸化還元電位が予め定めた所定の範囲になるまで前記水素給気モジュールから排出される水素水を前記給水ポンプの上流側に還流させて循環させ、酸化還元電位が予め定めた所定の範囲になると、水素水排出弁を開弁して酸化還元電位が予め定めた所定の範囲の水素水を得ることを特徴とする水素水製造方法がある（特許文献１参照）。
【先行技術文献】
【特許文献】
【０００４】
【特許文献１】特許第４５０５２３４号公報
【発明の概要】
【発明が解決しようとする課題】
【０００５】
上記特許文献１の発明は、低い酸化還元電位を持つ水素水を安定的に製造することを目的としたものであり、また原水は井戸水を対象として説明しているが、飲用水としての具体的な記載はなく、たとえ飲用水として使用するにしてもその飲用水を具体的に購入する方法等については具体的な記載が無く、水素水製造装置の設置に伴うインターネットの無線ＬＡＮ中継機の併設やプリペイド決済端末や防犯を兼ねた安全対策等については何ら言及されていない。
【０００６】
本発明の公衆無線ＬＡＮ中継機を備えた逆浸透膜水素水供給装置は、水道管と直結して飲用水、料理用水等の他、医療、医薬分野、各種研究分野における水素水の購入をプレペイド決済端末で購入でき、駅やスポーツ施設、学校、医療機関等の各種施設に設置し、プレペイド決済端末による逆浸透膜水素水の購入者の管理運営はサーバーが管理し、併せて逆浸透膜水素水供給装置を設置する筐体内に公衆無線ＬＡＮ中継機を内蔵させることにより不特定多数の第３者はインターネット接続可能な無線中継スポットを介して携帯電話、ノートパソコン等の端末をネット接続が可能となる公衆無線ＬＡＮ中継機を備え、かつ前記筐体内に防犯カメラの設置により購入者や第三者の特定が可能な安全地帯を提供できる逆浸透膜水素水供給装置を提供することにある。
【課題を解決するための手段】
【０００７】
本発明に係る公衆無線ＬＡＮ中継機を備えた逆浸透膜水素水供給装置は、水道管と接続するパイプの途中に電磁弁を介して水圧調整の増圧ポンプを設け、該増圧ポンプを通過後の水道水の浮遊物やさび等の不純物を除去する活性炭フィルターからなるセディメントフィルターと、塩素、鉛、水銀、カビ胞子、サルモネラ菌、バクテリア等を除去する活性炭フィルターからなるプレカーボンフィルターと、ウイルス、細菌、重金属、放射性物質を除去する逆浸透膜フィルターと、不快な味や臭いを除去する活性炭フィルターからなるポストカーボンフィルターを順次設け、水道水から不純物が除去された水を冷却タンクで循環させながら冷却した水を送る送水管を水素発生器に接続し、冷却水に水素を供給する水素供給管を接続して前記冷却タンクから管及びドレン電磁弁を通して水素水の取出し部を備えた前記一連の機器は一つの筐体に収納し、かつ前記水素水を購入するためのインターネットによるプリペイド決済サーバーを介して前記筐体にはプリペイド決済処理端末を備えるとともに、前記筐体にインターネット接続が可能な公衆無線ＬＡＮ中継機を備えていることを特徴とする。
【０００８】
前記インターネット接続が可能な公衆無線ＬＡＮ中継機は、ワイファイ中継機であることを特徴とする請求項１記載の公衆無線ＬＡＮ中継機を備えた逆浸透膜水素水供給装置である。
【０００９】
前記インターネット接続が可能な公衆無線ＬＡＮ中継機は、不特定多数のルーターを備えたパソコン利用者、携帯電話利用者等の利用に供する一般ユーザーのワイファイスポットであることを特徴とする請求項１又は請求項２記載の公衆無線ＬＡＮ中継機を備えた逆浸透膜水素水供給装置である。
【００１０】
前記プリペイド決済処理端末を使用する逆浸透膜水素水の購入者の撮影とその周囲を撮影する防犯カメラが前記筐体に内蔵され、かつその防犯カメラの映像データの管理は前記プリペイド決済サーバーであることを特徴とする請求項１、請求項２又は請求項３記載の公衆無線ＬＡＮ中継機を備えた逆浸透膜水素水供給装置である。
【発明の効果】
【００１１】
本発明は、セディメントフィルターにより水道水に含まれる浮遊物やさび等の不純物を除去することができ、次いで活性炭フィルターで構成されるプレカーボンフィルターにより塩素、鉛、水銀、カビ胞子、サルモネラ菌、バクテリア等を除去し、さらにウイルス、細菌、重金属、放射性物質を除去する逆浸透膜フィルター及び不快な味や臭いを除去する活性炭フィルターからなるポストカーボンフィルターを備えるとともに水道水から不純物が除去された水を冷却タンクで循環させながら冷却した水を送る送水管を水素発生器に接続し、冷却水に水素を供給する水素供給管を接続して水素水の取出し部を備えた前記一連の機器は一つの筐体に収納したので、全体として場所を取らずにコンパクトな設備が実現でき、水素水は冷却水を対象に水素を溶存させることとしたので、冷却された純水中の水素の溶存率が高く、残留塩素、トリハロメタン、細菌、ウイルス、農薬、重金属類などを除去し、安心で安全な水を提供でき、セシウム、ラジウムなどの放射性物質も取り除くことができる優れた浄水装置であり、不快な臭いが無い安定した水質の水素水を購入者に提供できる。
【００１２】
本発明は公衆無線ＬＡＮ中継機の設置を人口集約施設等の各種施設等に分散して設置して単なる水素水の普及にとどまらずにインターネット接続領域の拡大、携帯電話やノートパソコン等の端末の使用エリアの拡大や地域の防犯を兼ねた安全地帯の拡充を図ることができる。
【図面の簡単な説明】
【００１３】
【図１】本発明の一実施例を示す公衆無線ＬＡＮ中継機を備えた逆浸透膜水素水供給装置の構造を示す説明図である。
【図２】本発明の一実施例を示す公衆無線ＬＡＮ中継機を備えた逆浸透膜水素水供給装置の概略構造を示すブロック図である。
【図３】本発明の一実施例を示す公衆無線ＬＡＮ中継機を備えた逆浸透膜水素水供給装置のグラウンドデザインを示す図面である。
【図４】本発明の一実施例を示すＲＯ水を冷水と温水で取り出す場合に関する説明図である。
【発明を実施するための形態】
【００１４】
以下、本発明の一実施例を図面に基づいて説明する。
図１及び図２において、水源は水道水１とし、水道管２と逆浸透膜水素水供給装置３とを直結する。水道管２と逆浸透膜水素水供給装置３との間には水道水を貯蔵するタンクは不要である。本例ではタンクを設置しないので、タンクの定期的な交換又は清掃等の問題が解消される。水道管の途中に電磁弁４を設け、水道水の流量調整が行なわれる。
【００１５】
５は増圧ポンプで、水道水が後述する各種フィルターを通過する時の圧力調整の役割を果たす。圧力調整された水道水は最初のフィルターであるセディメントフィルター６を通過させる。このセディメントフィルター６は例えば粒状活性炭と繊維活性炭を組み合わせて固めた活性炭フィルターであり、水道水中の５μ程の大きさの花粉、砂や錆等の不純物を除去することができる。セディメントフィルター６を通過した水道水は、１μｍ程度の不純物を阻止するプレカーボンフィルター７を通過させる。プレカーボンフィルター７は活性炭フィルターで構成されており１μｍ程度の不純物である塩素、鉛、水銀、カビ胞子、サルモネラ菌、バクテリア等を除去する。これらの不純物を除去した後の水道水を逆浸透膜フィルター８に通す。この逆浸透膜フィルター８では、水と不純物を分離させるために浸透圧以上の圧力をかける。セディメントフィルター６の良好なフィルター効果を維持するために、６か月を目安に交換するのが好ましい。また、プレカーボンフィルター７の良好なフィルター効果を維持するために、６か月を目安に交換するのが好ましい。
【００１６】
逆浸透膜フィルター８は０．０００１μｍ＝０．１ｎｍの不純物をブロックすることができる。すなわち、コレラ、大腸菌、インフルエンザウィルス、Ｂ型肝炎ウイルス、日本脳炎ウイルス、農薬類、Ｏ−１５７、トリハロメタンメタン、ヨウ素、セシウム、ホルムアルデヒト等の０．１ｎｍ超微細孔で重金属や放射性物質を取り除くことができる。逆浸透膜フィルター８の良好なフィルター効果を維持するために、１８か月を目安に交換するのが好ましい。
【００１７】
逆浸透膜フィルター８により上記不純物を除去した水は、ポストカーボンフィルター９である活性炭フィルターを通過させて不快な味やにおいを取り除く。良好なフィルター効果を維持するために、１８か月を目安に交換するのが好ましい。図中、１０は圧力調整器で、流量コントロール制御において、フローにかかる圧力を一定状態にコントロールしたり、圧力を減じたりする役割を果たす。
【００１８】
上記一連のフィルター及び逆浸透膜を通過した水は管１２を介して冷却タンク１３に送られる。管１２の途中から分岐した管はイオン交換樹脂フィルター１５に接続しボール弁を介して水素発生器１４に接続される。イオン交換樹脂フィルター１５により純水中からさらに水中に含まれる陽イオン、陰イオンを除去する。陽イオン及び陰イオンを除去された水は水素発生器１４の水素を取り込んで冷却タンク１３からの純水と合流して循環ポンプ１６及び循環フィルター１７を介して冷却タンク１３中の冷却水を循環させる。不純物や臭い等を除去した水を冷却タンク１３で冷却する理由の一つは水素の溶存性を高めるためである。また、冷却タンク１３内の水は冷却タンク１３の外に設けた循環ポンプ１６及び循環フィルター１７を介して循環され、冷却された新鮮な水素水が得られる。なお、温水は水素の溶存率が低いので水素の供給は行なわない（図４参照）。図中、１１はフロートスイッチを示す。
【００１９】
ＲＯ水素水を購入する場合、ポイント式プリペイド決済処理端末２０を操作すると、トレイに予めセットした容器（図示せず）に冷却タンク１３からの冷却水が供給される。冷却水の供給は冷却水排出ポンプ１８が作動して給水用電磁弁１９から所望する量の水素水を得ることができる。水素水の購入は、ポイント式プリペイド決済処理端末２０を介して購入するが、購入量及び回数に応じてポイントが加算される。水素水の購入者はポイント式プリペイド決済処理端末２０の操作により公衆無線ＬＡＮ中継機２２（本例では筐体２１内に設置したワイファイ中継機２２ａである）を介して水素水購入者のプレペイド決済及びポイントデータを管理するサーバー２３にデータが送信される。
【００２０】
また、筐体２１内には防犯カメラ２４が設置されており、この防犯カメラ２４によりポイント式プリペイド決済処理端末２０を操作する人の姿を映像データとして撮影したデータが前記サーバー２３へ送信されて管理される。防犯カメラ２４は購入者のみの撮影に限定されるものではなくその周辺にいる人々の映像も記録され、公共の場所として安全なゾーンが確立され、水素水を購入しない不特定多数の人もワイファイ中継スポットとして携帯電話、ノートパソコン、その他各種端末を持参してインターネット接続ができ、社交場としても利用される。
【産業上の利用可能性】
【００２１】
本発明は水道水に含まれる不純物のサイズに応じたフィルター及び逆浸透膜でそれぞれの不純物を除去し、臭いを含む不純物を除去した純水を水素発生器に通して水素水を供給する公衆無線ＬＡＮ中継機を備えた逆浸透膜水素水供給装置により残留塩素、トリハロメタン、細菌、ウイルス、農薬、重金属類、セシウム、ラジウム等の放射性物質等を除去し、小さい子供から大人まで幅広い年齢層に安心した飲料水を提供できるだけではなく、インターネット端末の無線中継地として人口集約地に点在させることによりインターネット接続網の拡大に寄与し、通信網の拡大により情報交換のネットワークの拡大に寄与し、かつ防犯カメラの設置により公衆に安全地帯を提供でき、飲料水業界の拡大、普及に寄与し、需要者の利便性も向上するため、関連業界に及ぼす影響は大である。
【符号の説明】
【００２２】
１        水道水
２        水道管
３        逆浸透膜水素水供給装置
４        電磁弁
５        増圧ポンプ
６        セディメントフィルター
７        プレカーボンフィルター
８        逆浸透膜フィルター
９        ポストカーボンフィルター
１０      圧力調整器
１１      フロートスイッチ
１２      管
１３      冷却タンク
１４      水素発生器
１５      イオン交換樹脂フィルター
１６      循環ポンプ
１７      循環フィルター
１８      冷却水排出ポンプ
１９      排水用電磁弁
２０      ポイント式プリペイド決済処理端末
２１      筐体
２２      公衆無線ＬＡＮ中継機
２２ａ    ワイファイ中継機
２３      サーバー
２４      防犯カメラ
【図１】
2014050774.tif 000003
【図２】
2014050774.tif 000004
【図３】
2014050774.tif 000005
【図４】
2014050774.tif 000006